(57)【要約】【課題】幼児や子供や初心者等の使用者が楽しくプレイできると共に、屋内等にある多目的の狭いスペース等においても、ごく簡易にテニスコートをスペース上に構成させ、また撤去させることができるテニスコート設備の提供を課題とする。【解決手段】ネットＮを取り付けた状態で移動自在に左右のコート間に配置されるネット取付体１０と、左右のコート１ａ、１ｂに対して光や映像を投影する投影器２０と、該投影器２０に対して所定の投影を指令制御する指令制御器３０とを少なくとも備え、前記投影器２０による投影によって、前記ネット取付体１０が次に移動配置されるべき位置を表示する構成としたテニスコート設備である。【選択図】      図１
0003221913.tif 000002
【実用新案登録請求の範囲】
【請求項１】
ラケットを用い、ネットを介して左右のコート間でボールを打ち合う簡易なテニスを含むテニスに用いられるテニスコート設備であって、
ネットを取り付けた状態で移動自在に左右のコート間に配置されるネット取付体と、左右のコートに対して光や映像を投影する投影器と、該投影器に対して所定の投影を指令制御する指令制御器とを少なくとも備え、
前記投影器による投影によって、前記ネット取付体が次に移動配置されるべき位置を表示する構成としたことを特徴とするテニスコート設備。
【請求項２】
投影器は、少なくとも、左右のサービスコート領域を異なる色に色分けして投影すると共に、その投影による左右のサービスコート領域の色分け比率を１対１の標準比率から複数種類のハンディ比率に変更自在とし、比率変更された左右のサービスコート領域における新たな色分け境界を、ネット取付体が次に移動配置されるべき位置として表示する構成としたことを特徴とする請求項１に記載のテニスコート設備。
【請求項３】
対戦相手とのレベル差、ゲーム中のスコア差等に応じて予め定めた複数種類のハンディとそれに対応するハンディ比率とを用い、指令制御器から指令されたハンディ比率による左右のサービスコート領域の色分け投影を行う構成としたことを特徴とする請求項２に記載のテニスコート設備。
【請求項４】
屋内の床面をテニスコート面とし、屋内の上方部に投影器を配置したテニスコート設備であって、前記投影器により、左右一対のサービスコートと、左右一対のバックコートと、両側一対のアレーコートとの３領域に対して、該３領域が相互に識別できる色に色分けして投影する構成としたことを特徴とする請求項１〜３の何れかに記載のテニスコート設備。
【請求項５】
屋内の床面をテニスコート面とし、屋内の上方部に投影器を配置したテニスコート設備であって、前記投影器により、ダブルスコート内をダブルスコート外の床面色から識別できる色に色分けして投影する構成としたことを特徴とする請求項１〜４の何れかに記載のテニスコート設備。
【請求項６】
ネット取付体は、少なくとも、ネットを取り付けるポール部と、該ポール部を立設する脚部と、該脚部に設けられた移動用キャスタと、該移動用キャスタのストッパとからなる一対の取付本体を備えることを特徴とする請求項１〜５の何れかに記載のテニスコート設備。
【請求項７】
一対の取付本体は、連結棒により、相互に所定距離離間した状態に連結され、一体に移動する構成とされていることを特徴とする請求項６に記載のテニスコート設備。
【考案の詳細な説明】
【技術分野】
【０００１】
本考案はテニスコート設備に関し、より詳しくは、ネットを介して左右のコート間でボールを打ち合う簡易なテニスを含むテニスに用いられるテニスコート設備に関する。
【背景技術】
【０００２】
テニスはコートに張られたネットを介してボールをラケットで打ち合う競技である。
正式なテニスにおいては、コートの大きさやネットの高さ、その他の多くがルール化されている。
一方、正式なテニスとは言えないけれども、狭い屋内スペースの有効利用の観点から、或いはショッピングセンター等における幼児や子供等を対象とした娯楽的スポーツとして、更には正式なテニスへの前段階としても、小スペースで行う簡易なテニスも現実に行われている。
前記簡易なテニスでは、より使用者が楽しめるようにした娯楽的要素を設備に加味することもテニス人口を増やす方法の１つである。
またショッピングセンター等の屋内スペースを利用する場合、テニスコートを容易に設置し、除去できることも要件の１つとなる。
【先行技術文献】
【特許文献】
【０００３】
【特許文献１】特開平１−２３８８８２号公報
【特許文献２】特開２００６−２０４６７５号公報
【特許文献３】特開２０１７−１７３７６４号公報
【特許文献４】特開２０１８−８４６１４号公報
【考案の概要】
【考案が解決しようとする課題】
【０００４】
上記特許文献１はテニスコートのネットポール用支持足部に関し、屋外や屋内のスペースにこのネットポール用支持足部を所定位置まで運んで設置することで、ネットポールを立て、ネットを張ることができるようにしたものが開示されている。このネットポール用支持足部によれば、屋外、屋内のスペースの適当な場所に暫定的に設置することで、ネットを張って、テニス、ショートテニス（簡易なテニス）ができる。ただし、このネットポール用支持足部の場合、キャスタ等の移動用車が備えられておらず、短時間のうちに移動を何度も行う類のものではない。
上記特許文献２は卓球装置に関し、相互に離間して配置される一対の卓球台の間にネット部材を設置するようにしたものが開示されている。前記ネット部材はネットを付けた状態のまま全体を移動させることができるものではあるが、移動させることを目的としたものではない。
上記特許文献３は映像表示システム及び映像表示方法に関し、テニスコート等へ映像を投影する際に、コート内にいる人物に対して眩しくならないように映像表示を行うアイデアが開示されている。ただし、この特許文献３のアイデアは、テニスコート内に区分されるサービスコート等の各領域に対して、区分投光を行うような類のものではない。
上記特許文献４は画像投影システムおよび画像投影方法に関し、空間に霧状に拡散された粒子群に対して、複数のプロジェクタにより複数方向から画像を投影することで、視認精度のよい立体像を浮びあがらせるようにしたものが開示されている。ただし、この特許文献４のアイデアは、テニスコート内に構成される各区分領域に対して区分投光を行うような類のものではない。
【０００５】
そこで本考案は、ネット取付についての工夫やコートへの光や映像の投影を工夫することで、テニスや簡易なテニスにおいて、幼児や子供や初心者等の使用者が楽しくプレイできると共に、屋内等にある多目的の狭いスペース等においても、ごく簡易にテニスコートをスペース上に構成させ、また撤去させて、多目的に利用することができるテニスコート設備の提供を課題とする。
【課題を解決するための手段】
【０００６】
本考案のテニスコート設備は、ラケットを用い、ネットを介して左右のコート間でボールを打ち合う簡易なテニスを含むテニスに用いられるテニスコート設備であって、
ネットを取り付けた状態で移動自在に左右のコート間に配置されるネット取付体と、左右のコートに対して光や映像を投影する投影器と、該投影器に対して所定の投影を指令制御する指令制御器とを少なくとも備え、
前記投影器による投影によって、前記ネット取付体が次に移動配置されるべき位置を表示する構成としたことを第１の特徴としている。
また本考案のテニスコート設備は、上記第１の特徴に加えて、投影器は、少なくとも、左右のサービスコート領域を異なる色で色分けして投影すると共に、その投影による左右のサービスコート領域の色分け比率を１対１の標準比率から複数種類のハンディ比率に変更自在とし、比率変更された左右のサービスコート領域における新たな色分け境界を、ネット取付体が次に移動配置されるべき位置として表示する構成としたことを第２の特徴としている。
また本考案のテニスコート設備は、上記第２の特徴に加えて、対戦相手とのレベル差、ゲーム中のスコア差等に応じて予め定めた複数種類のハンディとそれに対応するハンディ比率とを用い、指令制御器から指令されたハンディ比率による左右のサービスコート領域の投影を行う構成としたことを第３の特徴としている。
また本考案のテニスコート設備は、上記第１〜第３の何れかの特徴に加えて、屋内の床面をテニスコート面とし、屋内の上方部に投影器を配置したテニスコート設備であって、前記投影器により、左右一対のサービスコートと、左右一対のバックコートと、両側一対のアレーコートとの３領域に対して、該３領域が相互に識別できる色に色分けして投影する構成としたことを第４の特徴としている。
また本考案のテニスコート設備は、上記第１〜第４の何れかの特徴に加えて、屋内の床面をテニスコート面とし、屋内の上方部に投影器を配置したテニスコート設備であって、前記投影器により、ダブルスコート内をダブルスコート外の床面色から識別できる色に色分けして投影する構成としたことを第５の特徴としている。
また本考案のテニスコート設備は、上記第１〜第５の何れかの特徴に加えて、ネット取付体は、少なくとも、ネットを取り付けるポール部と、該ポール部を立設する脚部と、該脚部に設けられた移動用キャスタと、該移動用キャスタのストッパとからなる一対の取付本体を備えることを第６の特徴としている。
また本考案のテニスコート設備は、上記第６の特徴に加えて、一対の取付本体は、連結棒により、所定距離離間した状態に連結され、一体に移動する構成とされていることを第７の特徴としている。
【考案の効果】
【０００７】
請求項１に記載のテニスコート設備によれば、簡易なテニスを含むテニスに用いられるテニスコート設備は、移動自在に左右のコート間に配置されるネット取付体と、左右のコートに対して光や映像を投影する投影器と、投影器に対して所定の投影を指令制御する指令制御器とを少なくとも備えている。そして指令制御部による指令制御により、投影器が左右のコートに対して光や映像を投影する。また指令制御部による指令制御によって、投影器は移動自在なネット取付体が次に移動配置されるべき位置を表示させる。この表示に従ってネット取付体を移動させることで、左右のコートの新たな境界がネット取付体により現に形成されて、左右のコートで面積比率が異なるテニスコートを容易に出現させることができる。よって対戦する人同士の年齢差、キャリア、技術レベル、ゲームカウント等に応じたゲーム感覚のハンディテニスを容易、簡単に楽しむことが可能となる。
【０００８】
請求項２に記載のテニスコート設備によれば、上記請求項１に記載の構成による作用効果に加えて、投影器は左右のサービスコート領域を異なる色に色分けして投影させる。そして投影による左右のサービスコート領域の色分け比率を１対１の標準比率から異なるハンディ比率に変更することで、左右のコートでのサービスコート領域の面積を変更することができる。また比率変更された新たなサービスコート間の色分け境界は、ネット取付体が移動配置されるべき位置として表示される。従ってネット取付体を、サービスコート領域に投影された異なる色による新たな色分け境界へと移動させるだけで、左右のサービスコートの比率、左右のコート比率が異なる色々なテニスコートを容易、確実に出現させることができ、対戦する人同士の年齢差、キャリア、技術レベル、ゲームカウント等に応じて楽しむことができるテニスコート設備を提供することができる。
【０００９】
請求項３に記載のテニスコート設備によれば、上記請求項２に記載の構成による作用効果に加えて、左右のサービスコート領域のハンディ比率は、対戦相手とのレベル差やゲーム中のスコア等に応じて予め定めた複数のハンディに対応して定められる。そして指令制御器により所定のハンディに対する所定のハンディ比率が指令されると、投影器を介して、左右のサービスコート領域に対し、前記指令された所定のハンディ比率になるように投影がなされる。この投影により、異なる色の色分け境界が移動し、新たなハンディ比率のサービスコート領域が左右のコートに投影される。よってネット取付体を新たな色分け境界に移動させることで、ネットで現に仕切られた新たなハンディ比率のコートを、速やかに、確実に現出させることができ、色々な利用者のレベルに応じたテニスゲームを楽しむことが可能となる。
【００１０】
請求項４に記載のテニスコート設備によれば、上記請求項１〜３の何れかに記載の構成による作用効果に加えて、屋内の上方部に配置された投影器から屋内の床面への投影は、左右一対のサービスコートと、左右一対のバックコートと、両側一対のアレーコートとの３領域に対して行われ、且つその３領域が相互に識別できる色に色分けして行われる。よって１色の色等からなる多目的な屋内床面に対して、テニスコートにおけるサービスコートとバックコートとアレーコートとを、色分けして現出させることができる。従って必要なときに必要な時間だけ、テニスコートを投影により現出させて、テニスに供することができる。不必要ときにはテニスコートを屋内床面から容易に、速やかに消失させて、元の屋内床面に戻すことができる。
【００１１】
請求項５に記載のテニスコート設備によれば、上記請求項１〜４の何れかに記載の構成による作用効果に加えて、屋内の上方部に配置した投影器により、ダブルスコート内をダブルスコート外の床面色から識別できる色に色分けして投影することで、１色の色等からなる多目的な屋内床面に対して、ダブルスコートをダブルスコート外の床面から明確に色識別して現出させることができる。また不用時には投影を終了することで、元の屋内床面色に戻すことができる。
【００１２】
請求項６に記載のテニスコート設備によれば、上記請求項１〜５の何れかに記載の構成による作用効果に加えて、ネット取付体の一対の取付本体のポール部にネットを橋渡しして取り付けることで、ネットを付けたネット取付体を用意することができる。そして、このネット付ネット取付体を、その脚部に設けられた移動用キャスタで、左右のコート間の境界の両側の位置まで移動して配置し、ストッパにより固定することで、ネットを左右のコート間に張り渡すことができる。このキャスタ付のネット取付体を用いることで、必要なときに必要な時間だけ、テニスネットを暫定配置してテニスコートとすることができる。屋内床面等にポール等を固定配置する必要が無いので、テニス以外の多目的スペースとしての利用価値を損わない。特にコート面積が小さい簡易テニスコートにおいては、このような移動自在なネット取付体を用いても、ネットを張った状態に容易に維持することが可能である。従って、多目的屋内に一時的に構成する簡易テニスコート用のネット取付手段としての価値が大きい。
【００１３】
請求項７に記載のテニスコート設備によれば、上記請求項６に記載の構成による作用効果に加えて、一対の取付本体は、連結棒により、相互に所定距離離間した状態に連結され、一体に移動する構成とされている。よってネット取付体の移動の際、一対の取付本体を別々に移動させるような作業手間が省け、ネットをピンと張設した状態のままのネット取付体を素早く、スムーズに移動させることができる。従ってゲーム中等において、ネッ次に移動されるべきネットの位置が投影表示された場合には、連結ネット取付体をネット張設状態のまま新たな位置まで速やかに移動させ、新たなコート比率の状況を速やかに現出させて、ゲームを盛り上げることができる。
【図面の簡単な説明】
【００１４】
【図１】本考案の実施形態に係るテニス設備の概略斜視図である。
【図２】本考案の実施形態に係るテニス設備に備えられるネット取付体の斜視図である。
【図３】本考案の実施形態に係るテニス設備を用いた使用例を説明する図で、（Ａ）は左右のコートが標準比率にある場合の図、（Ｂ）は左右のコートがハンディ比率にある場合の図である。
【図４】本考案の実施形態に係るテニス設備を用いて使用例を説明する図で、（Ａ）は、左右のコートが標準比率にある場合における投影器による色分け投影状態と、ネット取付体の配置位置を示す図、（Ｂ）は投影器による色分け投影状態が標準比率から第１のハンディ比率に変化した状態を示す図、（Ｃ）は第１のハンディ比率により投影表示された色分け境界を目印として、ネット取付体が移動された状態を示す図である。
【考案を実施するための形態】
【００１５】
以下の図面を参照して、本考案の実施形態に係るテニスコート設備を説明し、本考案の理解に供する。しかし、以下の説明は本考案の実用新案登録請求の範囲に記載の考案を限定するものではない。
【００１６】
図１を参照して、本実施形態に係るテニスコート設備は、テニスコート１を左右のコート１ａ、１ｂに分けるべくテニスコート１の中央付近に横断して配置されるネット取付体１０と、前記左右のコート１ａ、１ｂを含むテニスコート１に対して光や映像を投影する投影器２０と、該投影器２０に対して所定の投影を指令制御する指令制御器３０とを少なくとも備えている。
【００１７】
前記テニスコート１は屋内の床面Ｆに構成することができる。そしてテニスコート１にはバックライン、サイドライン、サービスライン、その他、テニスコート１を構成する各ラインＬが設けられる。同様にテニスコート１にはネットを介して構成される一対のサービスコート領域Ｓ１、Ｓ２、一対のバックコート領域Ｂ１、Ｂ２、また両側に一対のアレーコート領域Ａ１、Ａ２が前記ラインＬにより区画されて構成される。このサービスコート領域Ｓ１、Ｓ２とバックコート領域Ｂ１、Ｂ２とアレーコート領域Ａ１、Ａ２は、それらを異なる色で色分けして設けることができる。このようなラインＬや各コート領域Ｓ、Ｂ、Ａからなるテニスコート１は、それが屋内等の多目的スペースに構成される場合には、不使用時にはスペースの床面Ｆから容易に取り去ることができるように構成するのが好ましい。
【００１８】
前記ネット取付体１０は、ネットＮを着脱自在に取り付けるもので、テニスコート１の中央付近にテニスコート１を横断して配置されるものである。これによりテニスコート１が左右のコート１ａ、１ｂに分けられる。
ネット取付体１０は、移動自在に構成されている。また移動した位置で不動状態に固定できるように構成されている。
図２を参照して、ネット取付体１０は一対の取付本体１１、１１を有し、各取付本体１１、１１には、それぞれネットＮを取り付けるためのポール部１２と、該ポール部１２を立設する脚部１３と、該脚部１３に設けられる移動用キャスタ１４と、該移動用キャスタ１４のストッパ１５とが設けられている。そして前記一対の取付本体１１、１１は、連結棒１６によって相互に所定距離だけ離間した状態に連結されている。
ネットＮを各取付本体１１、１１のポール部１２、１２間に橋渡しして取り付けることで、ネットＮを所定距離離間した取付本体１１、１１間に張設することができる。これによりネットＮを緊張して取り付けたネット取付体１０を得ることができる。
ネット取付体１０の移動は移動用キャスタ１４により行うことができる。連結棒１６による連結によりネット取付体１０の移動は、ネットＮを張設した状態のまま一体的に行うことができる。所定の移動位置でのネット取付体１０の不動状態化は、ストッパ１５の操作により移動用キャスタ１４を動かないように固定することで行うことができる。
以上のように、ネット取付体１０は、保管場所からテニスコート１への移動、及びテニスコート１から保管場所への移動、またテニスコート１でのネットＮ位置の移動のために、移動自在とされる。
なお、連結棒１６は、ネット取付体１０の一対の取付本体１１、１１に対して取り外し自在に連結できるように構成する。連結棒１６を取り外すことで、不使用時におけるネット取付体１０の保管を省スペースで行うことができる。
また前記連結棒１６による連結一体化は、ネット取付体１０をネットＮを張った状態のまま一体的に移動させるのに便利ではあるが、連結棒１６が無くても、ネット取付体１０の移動やネットの張設は可能であるので、連結棒１６は必須ではない。
【００１９】
前記投影器２０は、前記テニスコート１が屋内に構成される場合は、屋内のテニスコート１の上方、例えば天井部Ｃに設置される。勿論、テニスコート１に光や映像を投影できる場所であれば、特に設置場所が限定されるものではない。
一方、前記テニスコート１が屋外にある場合は、前記投影器２０は、屋外のテニスコートに対して良好に投影ができるような場所を設備した上で設置されることになる。
投影器２０は、テニスコート１内の所定の領域、及びテニスコート１外の所定の領域に対して、所定内容の光、映像を、所定のタイミングで投影する。投影器２０に対する投影指令と制御は指令制御器３０により行う。
【００２０】
前記指令制御器３０は、パーソナルコンピュータ等、キーボード等の入力手段、ＣＰＵ、記憶部、外部出力部を少なくとも備えたコンピュータを用いることができる。
指令制御器３０による投影器２０への指令制御は、例えば投影器２０により投影されるべき複数の投影パターンを予めコンピュータの記憶部に記憶させておき、入力手段による外部入力或いは予めインストールされたソフトウエアに従って所定の投影パターンが選択されると、この選択された所定の投影パターンを投影する制御信号を投影器２０に送信することで行うことができる。
【００２１】
前記投影器２０による投影の役割は色々とあるが、本考案における重要な役割の１つは、前記ネット取付体１０が移動配置されるべき位置を表示することである。
図３（Ａ）は、ネットＮを取り付けたネット取付体１０が、テニスコート１の中央に横断されて配置された状態を示す。即ち、テニスコート１が正式ルールに従う大きさのであるか或いはそれよりも小さい等の簡易なものであるかを問わず、左のコート１ａと右のコート１ｂの両領域の比率が１対１となる標準比率の標準位置に配置された状態を示している。
このネット取付体１０のテニスコート１における前記標準位置は、例えばテニスコート１を床面Ｆ上に現出させた際に、テニスコート１を丁度左右に均等に配分する位置である。この標準位置は、例えば床面Ｆ上に目印をして付すことで表示することもできる。
またネット取付体１０の前記標準位置は、現出したテニスコート１に対し、投影器２０による投影によって、投影ラインや、その他の投影目印として表示してもよい。
そして更に、前記投影器２０による投影により前記ネット取付体１０の標準位置を表示する場合、現出したテニスコート１に対して、投影器２０によって左右のコート１ａ、１ｂを異なる色で色分けして投影することで、その色分け投影の色分け境界をネット取付体が配置されるべき位置として表示するようにしてもよい。
【００２２】
図３（ｂ）は、ネットＮを取り付けたネット取付体１０を、１対１の標準比率の前記標準位置から、左右のコートの比率が異なる一定のハンディ比率のハンディ位置に、移動させて配置した状態を示す。図３（ｂ）においては、テニスコート１の左のコート１ａの面積が右のコート１ｂに比べて小さくなるように分配したハンディ位置にネット取付体１０を移動配置させた状態を示している。
ハンディ位置へのネット取付体１０の移動に際しては、移動されるべき次の位置が目印等により現に表示されなければ、ネット取付体１０を次の位置へと適切に移動させることができない。
【００２３】
本考案の実施形態では、ネット取付体１０を次に移動配置させるべき位置を、投影器２０による投影によって表示することとしている。
投影器２０によるネット取付体１０の標準位置やハンディ位置への移動配置を促す表示は、例えば投影器２０でテニスコート１を横断するネットラインＮＬを投影するようにし、且つネットラインＮＬの投影位置を標準位置やハンディ位置に応じて変更するようにしても行うことができる。この場合、ネットラインＮＬは、必ずしもテニスコート１を横断した長い投影ラインとして投影される必要はなく、テニスコート１の両側に部分的に投影表示されるものであってもよい。
但し、前記ネットラインＮＬの投影によるネット取付体１０の移動位置表示の場合は、問題が生じることがある。即ち、左右のサービスコート領域Ｓ１、Ｓ２を予め異なる色で色分けして構成しているテニスコート１の場合、ネット位置だけがネットラインＮＬの投影に従って移動されると、移動された新たなネット位置と元々ある前記左右のサービスコート領域Ｓ１、Ｓ２の色分け境界ＣＢとが一致しなくなる問題が生じる。
【００２４】
前記ネット取付体１０が移動されるべき位置を表示する手段としては、投影器２０による色分け投影を用いるのが好ましい。即ち、投影器２０により左右のサービスコート領域Ｓ１、Ｓ２を色分け投影すると共に、その色分け投影の色分け比率を、左右コート１ａ、１ｂの分配比率に合わせるようにする。このようにして投影することで、投影による色分け境界ＣＢがネット取付体１０の移動すべき目印位置として表示される。これを次に説明する。
【００２５】
図４（Ａ）は、ネット取付体１０が標準位置、即ち左右のコート１ａ、１ｂの比率が１対１の標準比率の位置に配置された状態を示す。このとき投影器２０は左のサービスコート領域Ｓ１、Ｓ１と右のサービスコート領域Ｓ２、Ｓ２とを色分けして投影している（図面上においては向きの異なる斜線で示している）。またネット取付体１０は色分け投影の色分け境界ＣＢ上に配置されている。
図４（Ａ）における投影器２０による色分け投影においては、左の色領域が左のサービスコート領域Ｓ１を示し、色分け投影の右の色領域が右のサービスコート領域Ｓ２を示す。そしてネット取付体１０は、投影器２０によってなされた色分け投影の色分け境界ＣＢに移動配置されており、基準比率である標準位置に配置された状態になっている。
【００２６】
図４（Ｂ）は、テニスコート１が標準比率から第１のハンディ比率へと移行される場合において、先ず投影器２０による色分け投影状態が標準比率から第１のハンディ比率に変化した状態を示す。ネット取付体１０は未だ標準比率の標準位置にある。
指令制御器３０によって、第１のハンディ比率が新たに指令されると、投影器２０による色分け投影が元の標準比率による色分け投影から第１のハンディ比率による色分け投影に変更される。これによって投影された左右の色領域の色分け境界ＣＢの位置も第１のハンディ位置に変更される（図４（Ｂ）においては向きの異なる斜線の境界、即ち色分け境界ＣＢの位置が左の方へ偏ったハンディ位置に変更されている。）。
【００２７】
図４（Ｃ）は、ネット取付体１０を投影された左右の色領域の色分け境界ＣＢと一致するように移動配置させた状態を示す。移動後、ストッパ１５で移動用キャスタ１４を不動状態に固定することで、ネット取付体１０の位置が第１のハンディ比率によるハンディ位置となり、ネットＮを介した左のサービスコート領域Ｓ１と右のサービスコート領域Ｓ２とが異なる色に色分けされた、第１のハンディ比率のテニスコート１が現出する。
【００２８】
同様にして、標準比率及び色々なハンディ比率の相互間で自由に比率変更可能なテニスコート１を、投影器２０による色分け投影による左右のサービスコート領域Ｓ１、Ｓ２の表示と、その色分け投影の色分け境界ＣＢへのネット取付体１０の移動とにより、速やかに現出させることができる。
【００２９】
ハンディ比率は、１対２、１対３、２対１、３対１等、色々なハンディ比率を設定することができる。このハンディ比率は、投影器２０による色分け投影の左右の色の面積比率をハンディ比率に応じて変更することで行うことができる。
前記投影器２０による色分け投影は、例えば投影器２０に色フィルターを設備して行うことができる。色フィルターは２つの色領域が境界を介して色分けされた構成にすると共に、その２つの色領域が標準比率やハンディ比率に応じた比率に区分けされた複数種類の色フィルターで構成する。そして指令制御器３０による指令に応じて、前記複数種類の色フィルターが投影器２０において自動選択できるように構成する。以上のように構成することで、標準比率や各ハンディ比率が指令制御部３０から指令されると、投影器２０を介して、対応する比率の色分け投影が左右のサービスコート領域Ｓ１、Ｓ２になされる。
勿論、前記投影器２０による色分け投影は、色フィルターを用いる場合に限定されるものではない。他の公知の手段による色分け投影を行う場合も本考案の範囲内である。
【００３０】
前記ハンディ比率は予め定めたハンディの程度に応じて決めることができる。例えば、対戦相手とのレベル差、男女差、年齢差等に応じてハンディをハンディ１やハンディ２等の複数種類のハンディを付けることができる。またゲーム中でのスコア差に応じてハンディ１、ハンディ２等の複数種類のハンディを付けることができる。
また前記ハンディによるテニスコート１の比率変更は、ゲーム中にスコアが所定の状態になったときに標準比率から所定のハンディ比率に変更するようにしてもよいし、最初からハンディに応じたハンディ比率のテニスコート１に変更しておくようにしてもよい。
ハンディによるテニスコート１の比率変更は、指令制御器３０に予め標準比率、第１のハンディ比率、第２のハンディ比率を入力する入力キーを用意しておき、その入力キーが押されたときに、直接的に投影器２０をして対応する色分け投影が行われるように構成してもよい。またハンディ比率を予め指令制御器３０に入力しておくことで、ゲームのスコアが所定の状態になったときに自動的に投影器２０をして対応するハンディ比率の色分け投影行われるように構成してもよい。
【００３１】
テニスコート１を屋内の床面Ｆに構成する場合においては、屋内の上方部に配置される前記投影器２０を兼用して、或いは別の投影器を用いて、テニスコート１の３つの領域、即ち左右一対のサービスコート領域Ｓ１、Ｓ２と、左右一対のバックコート領域Ｂ１、Ｂ２と、両側一対のアレーコートＡ１、Ａ２との３領域を、相互に識別できる色に色分けして投影する構成とするのが好ましい。これにより、例えば一色に統一された多目的屋内スペースの床面Ｆに、サービスコート領域Ｓ１、Ｓ２とバックコート領域Ｂ１、Ｂ２とアレーコート領域Ａ１、Ａ２とがきれいに色分されたテニスコート１を、必要なときに必要な時間だけ現出させることができる。
【００３２】
またテニスコート１を屋内の床面Ｆに構成する場合においては、屋内の上方部配置される前記投影器２０を兼用して、或いは別の投影器を用いて、ダブルスコートからなるテニスコート１内をテニスコート外の床面色から識別できる色に色分けして投影する構成とするのが好ましい。これにより、例えば一色に統一された多目的屋内スペースの床面Ｆに現出されるべきダブルスのテニスコート１を、コート外の色とは異なる色で現出させることができる。テニスコート１の使用が終わると、投影器２０による投影を終了することで、屋内スペースの床面を元の本来の色に戻すことができる。
【産業上の利用可能性】
【００３３】
本考案のテニスコート設備は、テニスや簡易なテニスにおいて、幼児や子供や初心者等の使用者が楽しくプレイできると共に、屋内等にある多目的の狭いスペース等においても、ごく簡易にテニスコートをスペース上に構成させ、また撤去させて、多目的スペースにも適したテニスコート設備として、産業上の利用可能性がある。
【符号の説明】
【００３４】
１          テニスコート
１ａ        左のコート
１ｂ        右のコート
１０        ネット取付体
１１        取付本体
１２        ポール部
１３        脚部
１４        移動用キャスタ
１５        ストッパ
１６        連結棒
２０        投影器
３０        指令制御器
Ａ１、Ａ２  アレーコート領域
Ｂ１、Ｂ２  バックコート領域
Ｓ１、Ｓ２  サービスコート領域
Ｃ          天井部
Ｆ          床面
Ｎ          ネット
Ｌ          ライン
ＮＬ        ネットライン
ＣＢ        色分け境界
【図１】
0003221913.tif 000003
【図２】
0003221913.tif 000004
【図３】
0003221913.tif 000005
【図４】
0003221913.tif 000006